(57)【要約】【課題】  目的とするモードの設定情報を、少ない操作で確認できる画像処理装置を実現する。【解決手段】  複合機１は、表示装置１０を備えており、この表示装置１０は、モード識別領域１１と、設定情報表示領域１５とを有している。モード識別領域１１には、複合機１に備えられた複数のモードの各々を識別するための識別情報が表示される。設定情報表示領域１５には、これらの識別情報のうち、現在選択されている識別情報に対応するモードの設定情報が表示される。そして、複合機１では、特に、モード識別領域１１に表示された識別情報の選択に連動して、設定情報表示領域１５に、選択された識別情報に対応する設定情報が表示されるようになっている。【選択図】  図１
2006115359.tif 000002
【特許請求の範囲】
【請求項１】
表示装置を備え、互いに異なる動作を実行する複数のモードから選択した１つのモードを実行する画像処理装置において、
上記表示装置は、
各々のモードを識別するための識別情報が表示される識別情報表示領域と、
上記識別情報のうち、現在選択されている識別情報に対応するモードの設定情報が表示される設定情報表示領域とを有しており、
上記識別情報表示領域に表示された識別情報の選択に連動して、上記設定情報表示領域に、選択された識別情報に対応する設定情報が表示されるようになっていることを特徴とする画像処理装置。
【請求項２】
上記表示装置は、縦長の表示パネルを備えていることを特徴とする請求項１に記載の画像処理装置。
【請求項３】
上記識別情報表示領域と、設定情報表示領域とが隣接して設けられていることを特徴とする請求項１または２に記載の画像処理装置。
【請求項４】
上記識別情報表示領域と、設定情報表示領域とが、上下に隣接して設けられていることを特徴とする請求項３に記載の画像処理装置。
【請求項５】
上記識別情報表示領域は、
互いに異なる４つまたは５つのモードの識別情報が表示されるようになっており、
４つのモードの識別情報が表示される場合には、それらの識別情報の表示領域が、四角形状に配置され、
５つのモードの識別情報が表示される場合には、それらの識別情報の表示領域のうち、４つの識別情報の表示領域が四角形状に配置され、残りの１つの識別情報の表示領域が、それら４つの識別情報の表示領域を結ぶ２本の対角線の交点を含む領域に配置されるようになっていることを特徴とする請求項１に記載の画像処理装置。
【請求項６】
上記設定情報表示領域は、画像処理装置の待機状態時に、現在選択されているモードの設定情報が表示されるようになっていることを特徴とする請求項１に記載の画像処理装置。
【請求項７】
さらに、画像形成部を備えており、
上記設定情報表示領域は、識別情報表示領域に表示された識別情報の、画像形成に関する情報が表示されるようになっていることを特徴とする請求項１に記載の画像処理装置。
【発明の詳細な説明】
【技術分野】
【０００１】
本発明は、複数のモードの中から１つのモードを、実行する画像処理装置に関するものである。
【背景技術】
【０００２】
電子スチルカメラ（いわゆるデジタルカメラ）により撮影した写真画像を印刷する画像処理装置には、デジタルカメラを直接接続するタイプ、および、デジタルカメラ用の記録媒体（メモリーカードなど）を挿入するタイプのものがある。これらのタイプの画像処理装置は、デジタルカメラ、または、リムーバブルな記録媒体から、ダイレクトに得た画像データを印刷用紙等に印刷する機能（ダイレクトプリント機能）を有している。
【０００３】
また、この画像処理装置は、表示パネル（表示装置）を備えている。この表示パネルの画面上には、デジタルカメラの写真画像が、縮小表示（一覧表示など）されるようになっており、ユーザーは、表示パネルに表示された写真画像を見ながら、印刷したい写真画像を、選択できるようになっている。これにより、ユーザーは、撮影した複数の写真画像の中から、印刷したい画像のみを、印刷できる。また、パソコンに写真画像のデータを移す必要がないため、印刷のための処理が簡素化される。
【０００４】
図１０は、そのような画像処理装置１０１の斜視図である。画像処理装置１０１は、ダイレクトプリント機能に加えて、例えば、コピー，ファックス，およびスキャナなどの、複数の機能（モード）を有する複合機である。通常、この画像処理装置１０１は、装置のレイアウトの都合上、横型の表示を行う横長の表示パネル１００ａを有する横長の表示装置１００を備えている。また、この画像処理装置１０１は、ダイヤルや印刷部数などを設定するためのダイヤルキー、および、各機能の設定を行うキーなど、画像処理装置１０１を操作するための操作部１６０を備えている。
【０００５】
画像処理装置１０１では、複数のモードから１つのモードを選択して、選択するモードを実行するようになっている。
【特許文献１】特開２００１−３３３１７４（公開日２００１年１１月３０日）
【発明の開示】
【発明が解決しようとする課題】
【０００６】
しかしながら、画像処理装置１０１では、選択されているモードの設定状態を確認（または変更）するためには、多くの操作が必要になるという問題がある。
【０００７】
具体的には、画像処理装置１０１において、例えば、写真画像を印刷するためには、まず、写真印刷用のモード（フォトプリント）に対応する操作部１６０を選択する。これにより、表示パネル１００ａには、フォトプリント用の印刷設定メニューが表示される。そして、そのメニューの中から、画質，フチ印刷の有無，または日付印刷の有無など、各種の印刷設定を確認して、必要に応じて設定内容を変更する。そして、目的の設定状態に変更できれば、操作部１６０のスタートボタンを押して、フォトプリントを実行する。
【０００８】
このように、画像処理装置１０１では、操作部１６０によるモードの選択と、表示装置１００への選択されたモードの設定状態の表示とが、関連するように設定されていない。すなわち、従来の構成では、モードの選択と、そのモードでの設定状態とが、同一画面に表示されていなかった。このため、選択されたモードの設定状態を確認するには、多くの操作が必要となる。
【０００９】
本発明は、上記の問題点に鑑みてなされたものであり、その目的は、複数のモードから選択した１つのモードを実行する画像処理装置において、目的とするモードの設定情報を、少ない操作で確認できる画像処理装置を提供することにある。
【課題を解決するための手段】
【００１０】
本発明にかかる画像処理装置（本画像処理装置）は、上記の課題を解決するために、表示装置を備え、互いに異なる動作を実行する複数のモードから選択した１つのモードを実行する画像処理装置において、上記表示装置は、各々のモードを識別するための識別情報が表示される識別情報表示領域と、上記識別情報のうち、現在選択されている識別情報に対応するモードの設定情報が表示される設定情報表示領域とを有しており、上記識別情報表示領域に表示された識別情報の選択に連動して、上記設定情報表示領域に選択された識別情報に対応する設定情報が表示されることを特徴としている。
【００１１】
上記の構成によれば、識別情報表示領域に表示された識別情報の中から、目的のモードに対応する識別情報を選択すると、その選択動作に連動して、設定情報表示領域には、選択された識別情報に対応するモードの設定情報（設定値・設定状態）が表示される。これにより、識別情報表示領域における識別情報の選択動作と、選択した識別情報に対応する設定情報の確認動作とを、同時に実行することができる。つまり、設定情報表示領域には、常に、識別情報表示領域において選択されているモードの設定情報が表示される。このため、識別情報に対応するモードの設定情報を確認する操作を行う必要がない。従って、目的とするモードの設定情報を、少ない操作で確認することができる。
【００１２】
なお、従来の画像形成装置では、複数のモードから１つのモードの選択動作を、表示装置ではなく、キー操作によって行っていた。キー操作によるモードの選択動作と、選択されているモードの設定情報とは、独立している。このため、モードを選択しても、そのモードに対応する設定情報を確認するには、複数回のキー操作が必要であった。
【００１３】
これに対し、本画像処理装置では、このような、従来キー操作していた機能が、表示装置に表示されており、表示装置を用いて、各モードの選択を行っている。このため、画像処理装置本体に、各モードを選択するためのハードキーを設ける必要がない。これにより、表示装置を設ける領域を広くすることができる。その結果、表示パネルの画面を大きくすることができる。それゆえ、各表示領域に、識別画像または設定値を、大画面表示することができ、モード選択の視認性を高めることができる。
【００１４】
なお、識別情報表示領域に表示される「識別情報」は、各のモードを識別できるものであればよく、画像（イラスト）であっても、文字であってもよい。また、「現在選択されている識別情報に対応するモードの設定情報」は、言い換えれば、「識別情報表示領域の識別情報に関連する情報」である。
【００１５】
本画像処理装置では、上記表示装置は、縦長の表示パネルを備えていることが好ましい。
【００１６】
上記の構成によれば、表示装置が縦長の表示パネルを備えている。縦長の表示パネルは、横長の表示パネルよりも、表示行数を多くすることが可能である。このため、識別情報表示領域、および、設定情報表示領域には、例えば、横長の表示パネルではスクロールしなければ認識できなかった文字情報も、縦長の表示パネルでは、スクロールすることなく、１画面上に表示することが可能となる。それゆえ、縦長の表示パネルでは、表示パネルの表示画面を有効に利用して、識別情報表示領域、および、設定情報表示領域に、各情報を表示できる。
【００１７】
本画像処理装置では、上記識別情報表示領域と、設定情報表示領域とが隣接して設けられていることが好ましい。
【００１８】
上記の構成によれば、識別情報表示領域と、設定情報表示領域とが隣接しているため、識別画像と設定状態（設定値）とが隣接して表示される。これにより、識別画像とその設定状態とを、容易に確認できる。
【００１９】
本画像処理装置では、上記識別情報表示領域と、設定情報表示領域とが、上下に隣接して設けられていることが好ましい。
【００２０】
上記の構成によれば、識別情報表示領域と設定情報表示領域とが、縦長の表示パネルの長手方向に隣接して設けられている。これにより、識別画像と設定状態（設定値）とが上下に隣接して表示される。従って、識別画像とその設定状態とを、容易に確認できる。
【００２１】
本画像処理装置では、上記識別情報表示領域は、互いに異なる４つまたは５つのモードの識別情報が表示されるようになっており、４つのモードの識別情報が表示される場合には、それらの識別情報の表示領域が、四角形状に配置され、５つのモードの識別情報が表示される場合には、それらの識別情報の表示領域のうち、４つの識別情報の表示領域が四角形状に配置され、残りの１つの識別情報の表示領域が、それら４つの識別情報の表示領域を結ぶ２本の対角線の交点を含む領域に配置されるようになっていることが好ましい。
【００２２】
上記の構成によれば、識別情報表示領域に、４つのモードの識別情報が表示される場合には、それらの識別情報の表示領域が、四角形状に配置されている。また、５つのモードの識別情報が表示される場合には、それらの識別情報の表示領域のうち、４つの表示領域が四角形状に配置されており、残りの表示領域が、４つの表示領域を結ぶ２本の対角線の交点を含む領域に配置されている。言い換えれば、識別情報表示領域には、識別情報が、十字形状に配置されている。これにより、複数の識別情報の中から少ない指示によって、必要な識別情報を選択し、そのモードを実行することができる。
【００２３】
本画像処理装置では、上記設定情報表示領域は、画像処理装置の待機状態時に、現在選択されているモードの設定情報が表示されるようになっていることが好ましい。
【００２４】
上記の構成によれば、画像処理装置の待機状態時にも、設定情報表示領域には、現在選択されているモードの設定情報が表示される。このため、待機状態で選択されている識別情報に対応するモードを実行する場合には、その操作を容易にすることができる。
【００２５】
本画像処理装置は、さらに、画像形成部を備えており、上記設定情報表示領域は、識別情報表示領域に表示された識別情報の、画像形成に関する情報が表示されるようになっていることが好ましい。
【００２６】
上記の構成によれば、識別情報表示領域には、画像形成に関する情報が表示される。このため、設定情報表示領域の設定情報を確認して、画像形成を実行することができる。従って、画像形成の操作を容易にすることができる。
【発明の効果】
【００２７】
本発明に係る画像処理装置は、以上のように、識別情報表示領域に表示された識別情報の選択に連動して、上記設定情報表示領域に選択された識別情報に対応する設定情報が表示されるようになっている表示装置を備えている。それゆえ、識別情報表示領域における識別情報の選択動作と、選択した識別情報に対応する設定情報の確認動作とを、同時に実行することができるという効果を奏する。また、目的とするモードの設定情報を、少ない操作で確認することができるという効果を奏する。
【発明を実施するための最良の形態】
【００２８】
本発明の一実施形態について図１ないし図９に基づいて説明すると以下の通りである。なお、本発明は、これに限定されるものではない。
【００２９】
本発明にかかる画像処理装置は、複数のモードの各々を識別する識別情報の選択に連動して、選択された識別情報に対応する設定情報が表示される表示装置を備えることによって、目的とするモードの設定情報を、少ない操作で確認するものである。
【００３０】
本画像処理装置は、互いに異なる動作を実行する複数のモードから選択したモードを実行するようになっている。すなわち、本画像処理装置は、複数の機能を複合して備えた多機能型の複合機である。
【００３１】
まず、図２および図３に基づいて、複合機１の構成を説明する。図２は、本実施形態の複合機１の要部構成を示す斜視図であり、図３は、図２の複合機１の背面図である。
【００３２】
複合機１は、デジタルカメラ、または、リムーバブルな記録媒体から、ダイレクトに得た画像データを、印刷用紙等に印刷する機能（ダイレクトプリント機能）を有している。さらに、複合機１は、コピー機能、スキャナ機能、ファックス機能，およびメール受信機能も有している。各機能は、ネットワークを介してデータを通信することが可能であってもよい。
【００３３】
複合機１は、図２に示すように、主に、表示装置１０、画像読取部２０、デジタルカメラ接続部３０、排紙部４０、アンテナ５０、操作キー（操作部）６０、およびスピーカー７０を備えている。また、図２には示さないが、複合機１は、印刷部（画像形成部；図４参照）９０も備えている。
【００３４】
複合機１は、縦長の表示パネル１０ａを有する縦長の表示装置１０を備えることを特徴としている。この表示パネル１０ａは、特に、デジタルカメラの写真画像を印刷する際に、印刷したい写真画像を選択しやすいように、写真画像を横長の表示パネルよりも、大きく表示することが可能である。表示パネル１０ａは、例えば、液晶表示ディスプレイ、および、ＣＲＴディスプレイなど，各種ディスプレイから構成される。また、表示パネル１０ａは、フレーム１０ｂに固定されている。表示装置１０の詳細は、後述する。
【００３５】
画像読取部２０は、スキャナ機能を有するものである。画像読取部２０にて、原稿を読み取る時は、原稿台２１に原稿を載置し、原稿カバー２３を閉じて、操作キー６０を操作する。原稿カバー２３の原稿と接触する面には、原稿を保護する保護マット２２が設けられている。
【００３６】
デジタルカメラ接続部３０は、デジタルカメラ本体を直接接続するためのデジタルカメラ接続端子３１と、メモリーカードなどのデジタルカメラの記録媒体を挿入するためのメモリーカードスロット３２とを備えている。メモリーカードスロット３２は、各社の規格に合うように、複数設けられている。また、メモリーカードスロット３２に記録媒体が挿入されると、カードアクセスランプ３３が点灯する。
【００３７】
排紙部４０は、印刷部９０（図４参照）にて印刷された印刷物を、排紙するものである。排紙部４０は、複合機１内へのゴミ等の混入を防止するとともに、複合機１内から印刷物が搬送されると、開状態となるプリンタカバー４１、印刷物を蓄積する用紙トレイ４２、プリンタカバー４１から用紙トレイ４２まで印刷物を案内する用紙ガイド４３、および、多量の印刷物または大きいサイズの印刷物を保持するための用紙補助トレイ４４を備えている。
【００３８】
操作キー（操作部）６０は、複合機１の操作を指示するものである。操作キー６０と表示装置１０とは、複合機１の上面（頂面）の一側部に、上下に隣接して設けられている。言い換えれば、操作キー６０と表示装置１０とは、複合機１の長手方向の一側部、より詳細には、画像読取部２０の長手方向一側短側に（画像読取部２０の短辺に沿って）、上下に隣接して設けられている。ここで、図２の構成では、デジタルカメラ接続部３０が設けられている方が、ユーザ側となる。そして、このユーザ側を下方とすると、表示装置１０が上方となるように、表示装置１０と操作キー６０とが、上下に隣接してに設けられている。これにより、ユーザに近い方に操作キー６０が配置されるため、操作キー６０の操作が容易になる。また、ユーザによる表示装置１０の画面の確認も、容易となる。
【００３９】
特に、本実施形態では、表示装置１に、従来操作キーによって操作していた機能を表示するようになっている。すなわち、表示装置１０に表示された機能の中から、必要な機能を選択するようになっている。このため、操作キー６０は、ハードキーの数が少なくなっている。その結果、操作キー６０の各キーが占める領域を狭くして、表示装置１０の領域を上下方向に広く確保できる。これにより、表示装置１０をより縦長にすることができる。従って、複合機１を大型化することなく、表示装置１０による大画面表示が可能となる。
【００４０】
また、複合機１の側面には、コードレス送受信するためのアンテナ５０、および音声で操作ガイドを行うためのスピーカー７０が設けられている。
【００４１】
さらに、図３に示すように、複合機１の背面には、複合機１とパソコンとを接続するためのＵＳＢ接続端子８０、電話回線に接続するための回線接続端子８１、電話回線を増設するための回線接続端子８２、先端に差し込みプラグ８５を有する電源コードを有している。
【００４２】
また、表示装置１０は、複合機１に、回動可能に設けられており、ディスプレイスタンド８６によって、ユーザーが画面を見やすい位置で固定できるようになっている。これにより、複合機１の使用時にのみ表示装置を見やすい角度で立て、複合機１の非使用時には、水平に収容できる。
【００４３】
なお、複合機１は、図５および図６に示す構成とすることもできる。図５および図６は、図２および図３の複合機１とは異なる、複合機１ａ要部構成を示す斜視図である。図５は、複合機１ａにおける、未使用時の表示装置を示しており、図６は、使用時の表示装置を示している。なお、複合機１と複合機１ａとは、基本的な構造および機能は同じである。
【００４４】
ここで、操作キー６０の具体例を説明する。図７は、複合機１ａの操作キー６０の平面図である。ここでは、操作キー６０が、上下左右ボタン（十字キー）６１、決定キー６２、右ソフトボタン６３ａ、左ソフトボタン６３ｂ、ダイヤルボタン６４、留守ボタン６５、戻る／クリアボタン６６、お知らせランプ６７、停止ボタン６８、モノクロスタートボタン６９ａ、およびカラースタートボタン６９ｂを備えている。
【００４５】
上下左右ボタン６１は、カーソルに対して上下左右の移動指示を行うボタンである。決定キー６２は、所定の動作を実行する決定指示を行うボタンである。右ソフトボタン６３ａおよび左ソフトボタン６３ｂは、後述のように、ガイダンス領域１４に表示された機能（ソフト）の実行指示を行うボタンである。例えば、図１において、左ソフトボタン６３ｂを押すと、ガイダンス領域に表示された操作ガイド（α）が実行される。これにより、ガイダンス領域１３には、操作ガイドのガイダンスが文字情報として表示される。ダイヤルボタン６４は、ファックスの際のダイヤル入力のためのボタン、および、設定情報表示領域１５などに文字入力を行う際の入力ボタンである。なお、ダイヤルボタン６４による文字入力は、例えば、携帯電話と同様に、「１」で「ア行」、「２」で「カ行」…の入力を行う。留守ボタン６５は、電話機能を備えている場合に、留守番電話設定を行うボタンである。戻る／クリアボタン６６は、モード識別領域１１の表示を１つ前の表示に戻る指示、または、決定した動作および設定内容などを消去するボタンである。お知らせランプ６７は、記録紙無しを検知した時やインク残量が少なくなった時等に点灯する。停止ボタン６８は、実行中の動作を停止するボタンである。モノクロスタートボタン６９ａはモノクロ印刷、カラースタートボタン６９ｂはカラー印刷を、それぞれ行うボタンである。
【００４６】
操作キー６０は、表示パネル１０ａの表示画面に関連するような、形状で構成されたり、文字が印刷されていたりする。これにより、ユーザーによる操作キー６０の誤操作を低減できる。
【００４７】
このような複合機１（１ａ）は、図４に示すように、制御装置によって、制御されている。図４は、複合機１のブロック図である。制御装置は、画像読取部２０およびその画像を印刷するための印刷部（画像形成部）９０、画像やデータを記憶する記憶部、パソコン（ＰＣ）に接続されたＵＳＢ制御装置−１、デジタルカメラまたはメモリーカードスロット３２を制御するＵＳＢ制御装置−２、表示パネル１０ａを制御する表示制御装置、操作キーを制御するキー制御装置、電話回線網を制御する網制御装置の制御を行うモデム、およびアンテナ５０によってコードレス通信を行うためのコードレス用制御回路を、それぞれ制御している。
【００４８】
印刷部９０は、複合機１に入力された画像を紙などの媒体に出力するものである。例えば、印刷部９０は、現像剤であるインクを吐出させて画像形成を行うインクジェットプリンタ、または、現像剤としてトナーを用い画像形成を行う電子写真方式の画像形成装置である。インクジェットプリンタでは、インク吐出を行うインクヘッドを搭載したキャリッジに、着脱可能となったインクを充填したカートリッジを装着し、キャリッジを媒体の移動方向と直交する方向へ移動させることによって、適宜インクを吐出させることで画像形成を行う。このため、インクジェットプリンタでは、カートリッジが装着された状態で移動させるため、複合機１内部には、比較的広いスペースが確保されている。
【００４９】
そこで、カートリッジの交換部（または待機位置）が、表示装置１０および操作キー６０の下部（装置内部）であることが好ましい。ここで、操作キー６０および表示装置１０は、簡素な構成であるため、それらが設けられた領域の直下の装置内部には、比較的広いスペースができる。従って、複合機１内にできるスペースを有効に利用して、カートリッジの収容スペース（収容部）を、設けることができる。
【００５０】
ここで、複合機１（１ａも同様）の特徴部分である表示装置１０の構成について説明する。
【００５１】
図１は、複合機１に備えられる縦長の表示パネル１０ａを有する表示装置１０を示す平面図である。表示装置１０は、少なくとも、各々のモードを識別するための識別情報が表示されるモード識別領域１１、および、それらの識別情報のうち、現在選択されている識別情報に対応するモードの設定情報が表示される設定情報表示領域１５を有している。図１では、これらの領域の他に、設定表示領域１２、および、ガイダンス領域１３・１４を有している。
【００５２】
表示装置１０では、モード識別領域１１と設定情報表示領域１５とが、上下方向に分割され、モード識別領域１１と設定情報表示領域１５とは隣接して設けられている。これにより、モード識別領域１１と設定情報表示領域１５とには、それぞれ、識別画像と設定状態（設定値）とが隣接して表示される。これにより、識別画像とその設定状態とを、容易に確認できる。従って、識別画像とその設定状態とを、容易に確認できる。
【００５３】
モード識別領域１１には、複合機１に備えられた複数のモード（機能）の各々を識別するための識別情報（文字やイラストなど）が表示されるようになっている。例えば、図１では、この識別情報として、「コピー」，「いろいろフォトプリント」，「ファクス」，スキャナ」，および「かんたんフォトプリント」が表示されている。図１では、複合機１の初期状態（待機状態）には、カーソル１６により、「かんたんフォトプリント」が選択されるようになっている。
【００５４】
設定情報表示領域１５には、これらの識別情報のうち、現在選択されている識別情報に対応するモードの設定情報が表示される。すなわち、設定情報表示領域１５には、モード識別領域１１において選択されている識別情報に対応するモードの状態が、表示される。この設定情報は、識別情報によって異なる情報である。設定情報表示領域１５は、複合機１の待機状態（初期状態）時に、現在選択されている識別情報に対応するモードの設定情報が表示されるようになっている。図１では、この設定情報として、モード識別領域１１において選択されている「かんたんフォトプリント」の印刷設定情報が、モード表示領域１５ａに表示されている。
【００５５】
ここで、「かんたんフォトプリント」におけるモード表示領域１５ａに表示される印刷設定情報は、例えば、印刷枚数、印字品位の選択、印刷に関わる情報などの複合機１の印刷機能に関する情報が挙げられる。例えば、画質（解像度）、縁アリ／ナシ、用紙のサイズ、画質（普通・キレイ）、印刷速度（普通・速い）、用紙の種類（普通紙／光沢紙）などの情報が挙げられる。なお、「いろいろフォトプリント」は、「かんたんフォトプリント」と同様に、写真印刷するものである。このため、「いろいろフォトプリント」が選択されている場合の印刷設定情報は、「かんたんフォトプリント」と同様である。ただし、ユーザが、各種設定を任意に変更して、画像を印刷する点が異なる。
【００５６】
なお、「コピー」の印刷設定情報としては、画質、濃さ、縁アリ／ナシ、倍率などの情報が挙げられる。また、「ＦＡＸ」の印刷設定情報としては、画質、濃さなどが挙げられる。「スキャナ」は、印刷機能を有さないため、モード表示領域には、印刷設定情報は表示されない。なお、図１では、設定情報表示領域１５に、モード表示領域１５ａ以外の表示として、日時、留守番電話の録音件数、およびＦＡＸ受信件数などの、設定情報以外の情報も表示されるようになっている。
【００５７】
複合機１の最大の特徴は、モード識別領域１１に表示された識別情報の選択に連動して、設定情報表示領域１５に、選択された識別情報に対応する設定情報が表示されるようになっていることである。具体的には、図１の状態では、モード識別領域１１では「かんたんフォトプリント」が選択されており、設定情報表示領域１５のモード表示領域１５ａには、「かんたんフォトプリント」の印刷設定情報が表示されている。ここで、例えば、モード識別領域１１の識別情報を、「かんたんフォトプリント」から「コピー」に変更すると、カーソル１６が、「コピー」を選択する。この選択動作に連動して、モード表示領域１５ａには、「コピー」に対応する印刷設定情報が表示される。
【００５８】
なお、設定表示領域１２は、複合機１の設定状態を表示するステータスバーなどを表示するようになっており、ガイダンス領域１３・１４は、複合機１の操作ガイダンスまたは機能（ソフト）を表示するようになっている。
【００５９】
図１のモード識別領域１１の各モードは、例えば、図９に示すようにして、選択することが可能である。図９は、表示装置１０の表示状態を示す図である。図１のモード識別領域１１の、「コピー」，「いろいろフォトプリント」，「ファクス」，「スキャナ」，および「かんたんフォトプリント」は、アイコンＡ〜アイコンＥのそれぞれに対応する。すなわち、モード識別領域１１は、互いに異なる５つのモードの識別情報が表示されるようになっており、それらの識別情報の表示領域のうち、４つの識別情報の表示領域（アイコンＡ〜アイコンＤ）が四角形状に配置され、残りの１つの識別情報の表示領域（アイコンＥ）が、それら４つの識別情報の表示領域を結ぶ２本の対角線の交点を含む領域に配置されるようになっている。
【００６０】
図９に示すように、アイコン（識別情報）Ａ〜Ｅのうち、選択されているアイコンをユーザーが認識できるようにするためのカーソル１６が、表示画面上に表示されている。カーソル１６は、操作キー６０（上下左右ボタン６１；図７参照）の操作によって、選択するアイコンＡ〜Ｅを変更する。つまり、操作キー６０は、選択するアイコンを変更する変更指示を与えるものである。なお、図２の制御装置が、操作キー６０による変更指示に基づいて、アイコンの選択先を制御するようになっている。
【００６１】
アイコンＡ〜アイコンＥは、互いに異なる動作を実行する複数のモードの各々に対応して表示されるものである。アイコンＡ〜Ｅは、複数のモードの機能に対応する図（イラスト），記号，または文字などが表示されたものである。例えば、コピーモードを示すアイコンでは、プリンタの図（イラスト）が表示される。アイコンＡ〜Ｅは、画面上に、４つのアイコンＡ〜Ｄが四角形状に配置されており、残りのアイコンＥは、４つのアイコンＡ〜Ｄを結ぶ２本の対角線の交点を含む領域に配置されている。
【００６２】
カーソル１６は、画面上に表示された複数のアイコンＡ〜Ｅのうち、現在選択されているアイコンを、ユーザーに視認させるものである。例えば、図９のように、選択されているアイコンＡの外枠領域が、カーソル１６に囲まれており、ユーザーがそのアイコンを視認できるようになっている。なお、カーソル１６は、選択されているアイコンを、他のアイコンよりも拡大表示するものであってもよい。
【００６３】
カーソル１６の移動先の変更指示（つまり、選択するアイコンの変更）は、操作キー６０（詳細には上下左右キー６１）によって行う。すなわち、操作キー６０を用いてカーソル１６に上下左右の指示を与えて、カーソル１６が選択するアイコンを変更する。
【００６４】
制御装置（図４参照）は、操作キー６０によって、カーソル１６（選択されているアイコン）に対する、操作キー６０を用いた変更指示に基づいて、カーソル１６の移動先（アイコンの選択先）を制御するものである。
【００６５】
なお、画面上では、アイコンＡを選択しているカーソル１６が、その他のアイコンに移動しているようになる。しかし、実際には、カーソル１６は、各アイコンに設けられており、操作キー６０の指示に基づき、選択されたアイコンのみのカーソルを表示するように制御されている。すなわち、制御装置は、操作キー６０による指示に基づき、カーソルの表示（点灯）をオンまたはオフする制御も行う。
【００６６】
このように、複合機１は、互いに異なる動作を実行する複数のモードの各々に対応して選択されるアイコンＡ〜Ｅに対し、任意のアイコンを選択するように操作キー６０を操作することによって、選択したアイコンに対応するモードを実行する。これにより、複数の識別情報の中から少ない指示によって、必要な識別情報を選択し、そのモードを実行することができる。なお、図９では、モード識別領域１１は、互いに異なる５つのモードの識別情報が表示されるようになっている。しかし、アイコンＡ〜アイコンＤの表示領域が、四角形状に配置されていてもよい。この場合も、同様の効果が得られる。
【００６７】
ここで、図１および図８に基づき、表示パネル１０ａの表示例について、説明する。
【００６８】
図１および図８の初期画面Ａ（待機状態）のモード識別領域１１に示されるように、複合機１（１ａも同様）が、コピー機能、ファックス機能、スキャナ機能、およびフォトプリント機能の各モードを有している。ここで、複合機１のデジタルカメラ接続部３０に、デジタルカメラまたは写真画像データが格納された記録媒体が挿入されると、表示パネル１０ａには、初期画面が表示される。ここでは、各モードを識別する文字やイラストが、識別情報として、モード識別領域１１に、十字状に表示されている。また、各識別情報の配列は、「かんたんフォトプリント」が中央となり、カーソル１６に選択されている状態である。つまり、現在選択されているモードは、「かんたんフォトプリント」である。ここで、「かんたんフォトプリント」は、例えば、ユーザが、最低限の設定選択によって、簡単に写真画像を印刷できるように設定されている機能である。例えば、印刷設定がカラープリントに固定（変更不可）、用紙タイプがフォト用紙、用紙サイズがＬ判、レイアウトが縁無し（縁無し印刷）、画質がきれい（複数の画質がある中の１つ）、および日付印刷はしない、予め設定されている。これにより、ユーザは、印刷したい画像を選択するのみで、簡単に写真画像を印刷できる。
【００６９】
具体的には、複合機１の電源がＯＮになると、表示パネル１０ａには、図１２の初期画面Ａが表示される。初期画面Ａでは、画像情報表示領域１５に、モード表示、日時、留守録件数、ＦＡＸ件数が、表示される。ここで、「モード表示」には、画像領域１１のうち、カーソル１６に選択された機能の設定状態の一部が示される。
【００７０】
ここで、デジタルカメラ接続部３０に、デジタルカメラまたは写真画像データが格納された記録媒体を挿入して、その写真画像を「かんたんフォトプリント」で印刷するとする。この場合、決定ボタン６２を押すと、画像選択画面Ｂが表示される。画像選択画面Ｂでは、モード識別領域１１に、デジタルカメラまたは記録媒体の画像のうち、９枚の画像（画像「１」〜「９」）が一覧表示される。設定情報表示領域１５には、左側に前、右側に次の矢印が表示され、上下左右ボタン６１の左ボタンによって、カーソル１６が１つ前の画像に移動し、右ボタンによって、カーソル１６が１つ前の画像に移動する。なお、上下ボタンを押せば、カーソル１６が上下の画像に、それぞれ移動する。なお、モード識別領域１１の画像の中に、カーソル１６の移動指示に対応する画像がない場合は、前後のページに移動して、対応する画像が選択される。例えば、カーソル１６が画像「７」を選択しており、下ボタンを押すと、モード識別領域１１には、次頁の画像「１０」〜「１８」が表示される。そして、カーソル１６は、画像「１」の位置に表示された画像「１０」を選択する。画像「１」が選択され、上ボタンが押された場合も同様に、前頁の対応する画像が選択される。
【００７１】
そして、画像選択画面Ｂの画像「１」〜「９」の中から、カーソル１６を移動させながら印刷したい画像を選択し、決定ボタン６１を押す。「かんたんフォトプリント」では、カラープリントに固定されているため、決定ボタン６１を押すと、選択されている画像が印刷（プリント）される。ガイダンス領域１３には、決定ボタン６２を押せば選択された画像がプリントされる文字情報が表示される。ガイダンス領域１４には、左ソフトボタン６３ｂを押せば、カーソル１６に選択された画像が画像領域１１に拡大表示され、右ソフトボタン６３ｂを押せば、選択された複合機１の機能におけるサブメニューが画像領域１１に表示され、決定ボタン６２を押せば、カーソル１６に選択された画像の印刷が実行されることを示す画面が表示される。
【００７２】
プリント中は、プリン中画面Ｃとして、画像領域１１に、プリント動作中であることを示すアニメーション画像が表示される。また、画像情報表示領域１５には、何枚中何枚目を印刷しているかが表示される。ガイダンス領域１３には、左ソフトボタン６３ｂを押せば、プリントが中止されることを示す画面が表示され、ガイダンス領域１３には、プリント中の文字情報が表示される。
【００７３】
プリント終了後は、再び、画像選択画面Ｂと略同様の、画像選択画面Ｄとなる。ここでは、カーソル１６が、プリントした画像の次の画像（図１２では画像「２」）を、自動的に選択するように設定されている。
【００７４】
なお、初期画面Ａの状態で右ソフトボタン６３ａを押すと、表示パネル１０ａには、複合機１の基本設定メニュー画面が表示され、基本設定メニューの状態で右ソフトボタン６３ａを押すと、初期画面Ａが表示される。また、画像選択画面Ｂの状態で戻る／クリアボタン６６を押すと初期画面Ａに戻り、プリント中画面Ｃの状態で左ソフトボタン６３ｂを押すと画像選択画面Ｂに戻る。
【００７５】
また、図１３に示すように、図１２の画像選択画面Ｂの状態で、左ソフトボタン６３ｂを押すと、画像選択画面Ｅとなる。画像選択画面Ｅでは、カーソル１６に選択されている画像「１」が、画像領域１１拡大表示される。画像選択画面Ｅの状態で左ソフトボタン６３ｂを押すと、画像選択画面Ｂに戻る。
【００７６】
このように、初期画面Ａの状態でモード表示領域１５ａには、モード識別領域１１で選択されている識別情報の印刷設定情報が表示される。このため、その印刷設定情報を確認するための操作が不要である。それゆえ、モード識別領域１１における識別情報の選択動作と、モード表示領域１５ａにおける選択した識別情報に対応する設定情報の確認動作とを、同時に実行することができる。従って、目的とするモードの設定情報を、少ない操作で確認することができる。特に、ダイレクトプリント機能（フォトプリント機能）を実行する場合、初期画面（待機画面）では、各モードの識別情報と、選択されているモードに対応した設定情報とを表示しているため、その設定情報を確認する動作を行うことなく、決定キーを押すだけで、その機能を実行できる。
【００７７】
なお、従来の構成では、複合機１の初期状態（待機状態）では、識別情報表示領域１５に、モード識別情報１１の識別情報に対応するモードの設定情報が表示されていない。
【００７８】
さらに、複合機１では、従来ハードキーを用いて行っていたモードの選択を、表示装置１０によって行っている。このため、複合機１本体に、各モードを選択するためのハードキーを設ける必要がない。これにより、表示装置１０を設ける領域を広くすることができる。その結果、表示パネル１０ａの画面を大きくすることができる。それゆえ、モード識別領域１１および設定情報表示領域１５に、識別画像または設定情報を、大画面表示することができ、モード選択の視認性を高めることができる。
【００７９】
なお、図８の画像選択画面Ｂでは、モード識別領域１１には、サムネイル表示のように複数の画像を一覧表示しているが、１枚の画像を表示してもよい。表示方法は、設定領域１１、または、ガイダンス領域１３・１４に選択できるようにすればよい。
【００８０】
以上のように、複合機１は、モード識別領域１１に表示された識別情報の選択に連動して、設定情報表示領域１５のモード表示領域１５ａに、選択された識別情報に対応する設定情報が表示される。
【００８１】
この構成では、モード識別領域１１に表示された識別情報の中から、目的のモードに対応する識別情報を選択すると、その選択動作に連動して、設定情報表示領域１５には、選択された識別情報に対応するモードの設定情報（設定値・設定状態）が表示される。これにより、モード識別領域１１における識別情報の選択動作と、選択した識別情報に対応する設定情報の確認動作とを、同時に実行することができる。つまり、設定情報表示領域１５には、常に、モード識別領域１１において選択されているモードの設定情報が表示される。このため、識別情報に対応するモードの設定情報を確認する操作を行う必要がない。従って、目的とするモードの設定情報を、少ない操作で確認することができる。
【００８２】
一方、従来の構成では、複数のモードから１つのモードの選択動作を、表示装置ではなく、キー操作によって行っていた。また、キー操作によるモードの選択動作と、選択されているモードの設定情報とは、独立している。このため、モードを選択しても、そのモードに対応する設定情報を確認するには、複数回のキー操作が必要であった。
【００８３】
これに対し、複合機１では、このような、従来キー操作していた機能が、表示装置１０に表示されており、表示装置１０を用いて、各モードの選択を行っている。このため、複合機１本体に、各モードを選択するためのハードキーを設ける必要がない。これにより、表示装置１０を設ける領域を広くすることができる。その結果、表示パネル１０ａの画面を大きくすることができる。それゆえ、モード識別領域１１および設定情報表示領域１５に、識別画像および設定値を、それぞれ大画面表示することができ、モード選択の視認性を高めることができる。
【００８４】
また、複合機１は、縦長の表示パネル１０ａを備えている。縦長の表示パネル１０ａは、横長の表示パネルよりも、表示行数を多くすることが可能である。このため、モード識別領域１１、および、設定情報表示領域１５には、例えば、横長の表示パネルではスクロールしなければ認識できなかった文字情報も、縦長の表示パネル１０ａでは、スクロールすることなく、１画面上に表示することが可能となる。それゆえ、縦長の表示パネル１０ａでは、表示パネル１０ａの表示画面を有効に利用して、モード識別領域１１、および、設定情報表示領域１５に、情報を表示できる。
【００８５】
また、表示装置１０は、設定情報表示領域１５が、複合機１の待機状態時に、現在選択されている識別情報の設定情報が表示されるようになっている。これにより、待機状態で選択されている識別情報に対応するモードを実行する場合には、その操作を容易にすることができる。
【００８６】
また、複合機１は、従来の横型表示パネル（横型表示の液晶表示画面）を、縦型表示パネルとすることによって、表示領域（画面スペース）の有効活用を図ることも可能である。このような縦型表示パネルは、表示パネルに表示すべき情報量を減らすことなく、横型表示パネルよりも画像（特に横長画像）を、大きく表示できる。しかも、横型表示パネルの場合に形成されるデッドスペースが形成されることなく、画像に関する文字情報などを、表示することもできる。
【００８７】
また、複合機１は、特に、印刷または外部出力をするための複合機に好適に利用できる。このため、印刷や外部出力を目的としない携帯電話の表示パネルとは、使用目的が異なる。すなわち、本願発明は、特に好ましくは、印刷（または外部出力）することを目的とし、表示パネル画面上の有効スペース（設定情報表示領域１５）に、印刷（または外部出力）に関わる情報が表示される。これに対し、携帯電話は、印刷を目的とするものではない。
【００８８】
また、従来の携帯電話でも、モード識別領域１１には、携帯電話に備えられた複数のモード（カメラ機能、メール機能など）の各々を識別するための識別情報（文字やイラストなど）が表示されるようになっている。しかしながら、設定情報表示領域１５に表示される情報は、モード識別領域１１で現在選択されている識別情報に対応するモードの設定情報ではなく、現在選択されている識別情報について、ユーザが選択すべき複数のメニューが表示される。例えば、モード識別領域１１でカメラ機能が選択されている場合、設定情報表示領域１５には、カメラ機能のうち、ユーザが選択すべき、撮影・表示などの選択メニューが表示される。すなわち、設定情報表示領域１５には、本願発明では、選択されている識別情報の設定情報が表示（状態表示）されるのに対し、従来の携帯電話では、選択されている識別情報の選択情報が表示（選択表示）される。従って、設定情報表示領域１５に表示される情報が異なる。
【００８９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９０】
本発明の画像処理装置は、モードの選択と、そのモードでの設定状態とが、同一画面に表示するものであるため、例えば複合機など、設定状態を確認して選択したモードを実行するあらゆる電子機器に対して、利用することができる。
【図面の簡単な説明】
【００９１】
【図１】本発明の実施形態の複合機に備えられる縦長の表示パネルを示す平面図である。
【図２】本発明の実施形態の複合機の要部構成を示す斜視図である。
【図３】図２の複合機の背面図である。
【図４】図２の複合機の要部構成を示すブロック図である。
【図５】本発明の実施形態の別の複合機の要部構成を示す斜視図であり、未使用時の表示装置を示す図である。
【図６】図５の複合機において、使用時の表示装置を示す図である。
【図７】本発明の実施の形態の複合機に備えられる操作部の平面図である。
【図８】本発明の実施の形態の複合機における表示装置の表示状態を示す平面図である。
【図９】本発明の実施の形態の複合機における表示装置の表示状態を示す平面図である。
【図１０】従来の複合機の斜視図である。
【符号の説明】
【００９２】
１，１ａ    複合機（画像処理装置）
１０  表示装置
１０ａ  表示パネル
１１  モード識別領域（識別情報表示領域）
１２  設定表示領域
１５  設定情報表示領域
１５ａ  モード表示領域（設定情報表示領域）
２０  画像読取部
６０  操作キー（操作部）
９０  印刷部（画像形成部）
【図１】
2006115359.tif 000003
【図２】
2006115359.tif 000004
【図３】
2006115359.tif 000005
【図４】
2006115359.tif 000006
【図５】
2006115359.tif 000007
【図６】
2006115359.tif 000008
【図７】
2006115359.tif 000009
【図８】
2006115359.tif 000010
【図９】
2006115359.tif 000011
【図１０】
2006115359.tif 000012